(57)【特許請求の範囲】
【請求項１】
原稿照明用の蛍光灯へ印加する電源電圧をオン，オフするスイッチ手段を有する蛍光灯電源と、
前記蛍光灯のフィラメントを予熱する予熱電源と、
前記スイッチ手段を動作させる信号を前記スイッチ手段に供給し、前記予熱電源を動作させる信号を前記予熱電源に供給する制御手段と、
画像形成装置がスタンバイモードの場合に基準電圧に達しない電圧に制御され、前記画像形成装置がコピーモードの場合に前記基準電圧を超える電圧に制御される低圧電源と、
前記低圧電源の電圧が基準電圧を超えたことを検知する低圧電源電圧検知回路と、
前記スイッチ手段を動作させる信号および前記予熱電源を動作させる信号を、前記低圧電源電圧検知回路が前記基準電圧を超えたことを検知した場合に共に有効とし、前記基準電圧を超えたことを検知しない場合に共に無効とする信号処理回路と、を備えたことを特徴とする画像形成装置。
【請求項２】
請求項１に記載の画像形成装置において、
前記低圧電源電圧検知回路は、前記低圧電源の電圧検知用のツェナーダイオードを有し、前記信号処理回路は、前記スイッチ手段を動作させる信号および前記予熱電源を動作させる信号を、前記ツェナーダイオードがオフの場合に阻止し、オンの場合に阻止しないスイッチ素子を有することを特徴とする画像形成装置。
【発明の詳細な説明】
【０００１】
【発明の属する技術分野】
本発明は、原稿照明用の蛍光灯を備えた複写機，プリンタ等の画像形成装置に関するものである。
【０００２】
【従来の技術】
複写機，プリンタ等、従来のこの種の画像形成装置においては、蛍光灯により画像形成対象物を照射し、電子写真方式等により記録媒体に画像形成を行って出力する構成が広く採用されている。
【０００３】
ここでは一例として、複写機に搭載される蛍光灯の駆動及び制御を行う点灯回路の構成を図１１，図１２を参照して説明する。
【０００４】
図１１は画像形成装置の一般的なＤＣ電源部の構成を示すブロック図である。同図中、４は電源制御用ＣＰＵで、本体制御用ＣＰＵ１１とシリアル通信及びパラレル通信を行うようになっている。１４はＡＣ電源１５に接続されたＡＣ−ＤＣ（交流−直流）コンバーターで、電源制御用ＣＰＵ４によって制御される。
【０００５】
図１２は従来の蛍光灯点灯回路の構成を示すブロック図である。同図中、１はＤＣ電源２に接続されたコンバータートランスで、一次側は上記ＤＣ電源２とスイッチングトランジスタ３と接続され、スイッチングトランジスタ３のベースに電源制御用ＣＰＵ４の出力（ＯＵＴ）端子が接続されている。
【０００６】
上記コンバータートランス１の二次側にはインダクタンス素子５を介して整流回路６が接続され、この整流回路６にシャントスイッチであるＦＥＴ７が接続されている。また同トランス１の二次側にはＡＣ−ＤＣコンバーターの負荷である蛍光灯８が接続され、そのフィラメント８ａ，８ｂはトランス９を介して予熱回路１０に接続されている。
【０００７】
そして本体制御用ＣＰＵ１１は、上記予熱回路１０を制御するとともに、抵抗とトランジスタで構成されたスイッチ回路１２を通して点灯手段のＦＥＴ７を制御するように構成されている。１３は上述の点灯手段及び予熱手段を有した電源内部を示している。
【０００８】
上記構成において、まず電源が投入されると、各部の初期動作を経た後に、装置は待機（スタンバイ）状態となる。このとき、本体制御用ＣＰＵ１１から電源制御用ＣＰＵ４へのスタンバイモードの信号が送られる。これにより、電源制御用ＣＰＵ４はＡＣ−ＤＣコンバーターをコントロールして、コピー動作時の電圧よりも低い電圧出力（本例では１８Ｖ）を出すように制御する。
【０００９】
そしてコピーキーが押されると、本体制御用ＣＰＵ１１から電源制御用ＣＰＵ４へ送られるコピーモード信号により、電源制御用ＣＰＵ４はＡＣ−ＤＣコンバーターをコントロールして、コピー動作時の電圧出力（本例では２４Ｖ）を出すように制御する。
【００１０】
このとき蛍光灯８は、スキャン動作が開始されるまでのしばらくの間本体制御用ＣＰＵ１１からの信号により消灯状態にあるが、コピー動作を開始する際にはスムーズな点灯開始のために充分に予熱を行う必要がある。この充分な予熱と長寿命化のために、ハーフ予熱状態及びフル予熱状態と呼ばれるフィラメント８ａ，８ｂの予熱制御を本体制御用ＣＰＵ１１からの予熱信号（ＰＲＨＴ＿ＰＷＭ）によって制御する。
【００１１】
本体制御用ＣＰＵ１１は、上述の予熱動作により蛍光灯８のフィラメント８ａ，８ｂが充分暖まったところで、蛍光灯点灯信号（ＦＬ＿ＯＮ）を出し、これによりシャントスイッチであるＦＥＴ７をＯＦＦするため、トランス１の出力電圧が蛍光灯８の両端に印加されて蛍光灯８が点灯を開始する。実際には、蛍光灯８の点灯信号はパルス信号になっており、シャントスイッチであるところのＦＥＴ７をＯＮ／ＯＦＦすることで蛍光灯８を調光する。
【００１２】
【発明が解決しようとする課題】
しかしながら、上記のような従来の蛍光灯点灯回路では、蛍光灯の点灯信号やフィラメントの予熱信号は、電源制御用ＣＰＵを介さずに直接本体制御用ＣＰＵが制御しているため、電源側で何らかの異常が発生した場合に、電源制御用ＣＰＵが本体制御用ＣＰＵに対して異常を知らせて本体制御用ＣＰＵが蛍光灯点灯信号を止めるまでは、蛍光灯の点灯動作を続けようとする構成になっていた。
【００１３】
また、シーケンス的に本来蛍光灯を点灯させない場合（スタンバイ状態）に、蛍光灯の点灯信号が誤って入ってくるとフィラメント予熱が充分でなかったり、蛍光灯の点灯電圧が低い等の条件が重なり、蛍光灯の点灯が失敗する可能性があった。したがって、蛍光灯の点灯失敗に伴うシャントスイッチのドレイン電圧の上昇分を見込んで、高耐圧の部品を選別する必要があった。
【００１４】
本発明は、上記のような問題点に着目してなされたもので、外部からの蛍光灯点灯信号とは独立に、ある所定条件の場合に電源内部で蛍光灯点灯回路を強制的に停止させることで、蛍光灯の異常点灯を防止し、それに伴い異常時を考慮にいれて使用していた高耐圧の部品を耐圧の低いものにすることができ、コストダウンを図ることが可能となる画像形成装置を提供することを目的としている。
【００１５】
【課題を解決するための手段】
上記目的を達成するため、本発明では、画像形成装置を次の（１）、（２）のとおりに構成する。
（１）原稿照明用の蛍光灯へ印加する電源電圧をオン，オフするスイッチ手段を有する蛍光灯電源と、前記蛍光灯のフィラメントを予熱する予熱電源と、前記スイッチ手段を動作させる信号を前記スイッチ手段に供給し、前記予熱電源を動作させる信号を前記予熱電源に供給する制御手段と、画像形成装置がスタンバイモードの場合に基準電圧に達しない電圧に制御され、前記画像形成装置がコピーモードの場合に前記基準電圧を超える電圧に制御される低圧電源と、前記低圧電源の電圧が基準電圧を超えたことを検知する低圧電源電圧検知回路と、前記スイッチ手段を動作させる信号および前記予熱電源を動作させる信号を、前記低圧電源電圧検知回路が前記基準電圧を超えたことを検知した場合に共に有効とし、前記基準電圧を超えたことを検知しない場合に共に無効とする信号処理回路と、を備えた画像形成装置。
（２）前記（１）に記載の画像形成装置において、前記低圧電源電圧検知回路は、前記低圧電源の電圧検知用のツェナーダイオードを有し、前記信号処理回路は、前記スイッチ手段を動作させる信号および前記予熱電源を動作させる信号を、前記ツェナーダイオードがオフの場合に阻止し、オンの場合に阻止しないスイッチ素子を有する画像形成装置。
【００２６】
【発明の実施の形態】
（第１の実施例）
図１は本発明の第１の実施例を示す回路構成図であり、複写機，プリンタ等の画像形成装置における原稿照明用の蛍光灯の点灯装置の回路構成を示している。
【００２７】
図１中、図１２の回路と同一または相当部分については同一符号を付して重複する詳細説明は省略するが、電源内部１３には蛍光灯８へ印加する電源電圧をＯＮ，ＯＦＦするスイッチ手段（点灯手段）がＦＥＴ７により構成され、また蛍光灯８のフィラメント８ａ，８ｂを予熱する予熱回路（予熱手段）１０が設けられている。
【００２８】
また、ＶＤＤの電源と接続されたツェナーダイオード１６のアノード側に、＋５Ｖの電源と接続されたトランジスタ１７のベースが接続されるとともに、予熱回路１０の入力側に接続されたトランジスタ１８のベースにトランジスタ１７のコレクタ及びトランジスタ１９のベースが接続され、トランジスタ１９のコレクタが本体制御用ＣＰＵ１１の出力側に接続されている。
【００２９】
そして、所定条件、ここでは蛍光灯８への電源電圧がある現定値より高い条件の下でのみ上述の予熱手段及びスイッチ手段を動作させて蛍光灯８を点灯し、蛍光灯点灯時の所定時間内に蛍光灯８への印加電圧がある所定値以上になったときは予熱手段の動作を停止させるとともに蛍光灯８への印加電圧をＯＦＦするように構成されている。
【００３０】
すなわち、図１に示すように、カソード側をＶＤＤの電源に接続されたツェナーダイオード１６がＶＤＤの電圧により、該ツェナーダイオード１６のアノード側に抵抗を介して接続されたトランジスタ１７をＯＮ／ＯＦＦすることで、蛍光灯点灯信号（ＦＬ＿ＯＮ）、予熱信号（ＰＲＨＴ＿ＰＷＭ* ）を有効にしたり、無効にしたりするような構成をとっている。
【００３１】
以下、本実施例の動作を図１を参照して説明する。
【００３２】
コピー機等の画像形成装置においては、低圧電源の電圧ＶＤＤは通常コピーモードとスタンバイモードの２段階に切り替えている。具体的に例を上げると、コピーモード時には２４Ｖ、スタンバイ時には１８Ｖに切り替えている。
【００３３】
そこで本実施例では、２４Ｖの出力定格より少し低い阻止電圧（ここでは仮に２２Ｖの阻止電圧とする）のツェナーダイオード１６を用いて、それぞれのモードで動作の切り替えを行うようにしている。
【００３４】
スタンバイモードのとき、ＶＤＤが１８Ｖなのでツェナーダイオード１６は通電せずに、トランジスタ１７はＯＦＦとなっている。このためトランジスタ１８，１９がＯＮし、トランジスタ１８，１９のコレクタにそれぞれ接続された信号線の蛍光灯点灯信号（ＦＬ＿ＯＮ）、予熱信号（ＰＲＨＴ＿ＰＷＭ* ）が無効になるため、予熱回路１０及び蛍光灯点灯回路の動作が停止する。
【００３５】
コピーモードのときは、ＶＤＤが２４Ｖなのでツェナーダイオード１６は通電し、トランジスタ１７はＯＮとなる。このためトランジスタ１８，１９がＯＦＦし、トランジスタ１８，１９のコレクタにそれぞれ接続された信号線の蛍光灯点灯信号（ＦＬ＿ＯＮ）、予熱信号（ＰＲＨＴ＿ＰＷＭ* ）が有効になるため、蛍光灯点灯信号（ＦＬ＿ＯＮ）、予熱信号（ＰＲＨＴ＿ＰＷＭ* ）に従って予熱回路１０及び蛍光灯点灯回路が動作を開始する。
【００３６】
このような構成にすることで、本体動作のシーケンス上蛍光灯８の点灯動作を行うとき以外、つまりコピーモードのとき以外、もしくはコピーモード時ではあるが電源の制御異常のために低圧の電源電圧が２２Ｖ以下になるような場合に、外部（本体制御用ＣＰＵ１１）からの蛍光灯点灯信号（ＦＬ＿ＯＮ）、予熱信号（ＰＲＨＴ＿ＰＷＭ* ）を無効にし、強制的に予熱回路１０、蛍光灯点灯回路を停止させるため、蛍光灯の異常点灯を防ぐことが可能になる。
【００３７】
（第２の実施例）
図２は本発明の第２の実施例を示す回路構成図であり、図１と同一符号は同一または相当部分を示している。同図中、２０は予熱回路１０の入力側にコレクタが接続されたトランジスタ、２１は電源制御用ＣＰＵ４の出力側にベースが接続され本体制御用ＣＰＵ１１の出力側にコレクタが接続されたトランジスタ、２２はツェナーダイオードで、アノード側は電源制御用ＣＰＵ４の入力側にコレクタが接続されたトランジスタ２３のベースと抵抗を介して接続され、カソード側はトランス１の出力側に接続された抵抗２４，２５の直列回路の接続点に接続されている。
【００３８】
図３は本実施例の蛍光灯点灯時（点灯移行時）の回路動作を示すタイミングチャートで、（ａ）は新しい蛍光灯の場合、（ｂ）は古い蛍光灯の場合、（ｃ）は蛍光灯の点灯に失敗した場合の各々のＦＥＴ７のゲート信号とドレイン電圧の関係を示している。
【００３９】
図２の回路において、蛍光灯８の点灯に失敗した場合、蛍光灯点灯回路のシャントスイッチとして使用しているＦＥＴ７のドレイン電圧が図３に示すように上昇してくる。そこで本実施例では、その電圧を抑えるためにドレイン電圧があるしきい値を越えると、蛍光灯点灯回路及び予熱回路１０を停止するように構成している。
【００４０】
図３を参照しながら説明すると、まず図２の抵抗２４，２５を用いてＦＥＴ７のドレイン電圧を分圧し、その電圧がツェナーダイオード２２の阻止電圧を越えたときに、抵抗を介して接続されたトランジスタ２３をＯＮにして、電源制御用ＣＰＵ４の入力ポートをＬｏｗにする。この入力ポートがＬｏｗになったことをみて、電源制御用ＣＰＵ４は出力ポート（出力信号ＦＬ＿ＯＦＦ）をＨｉｇｈにするため、トランジスタ２０，２１がＯＮし、トランジスタ２０，２１のコレクタにそれぞれ接続された信号線の蛍光灯点灯信号（ＦＬ＿ＯＮ）、予熱信号（ＰＲＨＴ＿ＰＷＭ* ）が無効となり、予熱回路１０及び蛍光灯点灯回路の動作が停止する。
【００４１】
通常、蛍光灯８の点灯に失敗せずにスムーズに点灯移行する場合には、上記抵抗２４，２５により分圧された電圧がツェナーダイオード２２の阻止電圧を越えないので、トランジスタ２３はＯＮとならず、電源制御用ＣＰＵ４の入力ポートにはＨｉｇｈの信号が入力される。この入力ポートがＨｉｇｈであるときは、電源制御用ＣＰＵ４は出力ポート（信号ＦＬ＿ＯＦＦ）をＬｏｗにしてトランジスタ２０，２１をＯＦＦにするため、蛍光灯点灯信号（ＦＬ＿ＯＮ）、予熱信号（ＰＲＨＴ＿ＰＷＭ* ）に従って予熱回路１０及び蛍光灯点灯回路は動作を開始する。
【００４２】
さらに、電源制御用ＣＰＵ４は上述の動作をコピーモードのときにだけ行い、スタンバイモードのときには入力ポートの状態にかかわらず、出力ポート（信号ＦＬ＿ＯＦＦ）をＨｉｇｈにし、蛍光灯点灯回路及び予熱回路１０の動作を停止させる。
【００４３】
このような構成をとることで、蛍光灯８の点灯失敗時に上昇するＦＥＴ７のドレイン電圧をある所定の電圧に抑えることができ、このため、電圧上昇分を見込んだ部分よりも耐圧の低い部品を選定することが可能となり、コストを下げることができる。
【００４４】
また、コピーモード時にＦＥＴ７のドレイン電圧が異常上昇しないときにだけ蛍光灯点灯回路及び予熱回路１０を動作させるため、蛍光灯回路の誤動作を防ぐことも可能となる。
【００４５】
図４は上述の本実施例の動作を示すフローチャートである。まず、本体がコピーモードかスタンバイモードかを判別し（ステップＳ１）、コピーモードであれば電源マイコン（ＣＰＵ４）の入力ポートがＨｉｇｈかＬｏｗかを調べ（ステップＳ２）、スタンバイモードであれば出力ポート（ＦＬ＿ＯＦＦ）をＨｉｇｈにする（ステップＳ３）。また、ステップＳ２でＨｉｇｈであれば出力ポートをＬｏｗにし（ステップＳ４）、Ｌｏｗであれば出力ポートをＨｉｇｈにする（ステップＳ５）。
【００４６】
（第３の実施例）
図５は本発明の第３の実施例を示す回路構成図である。同図中、２６は予熱回路１０の入力側にコレクタが接続されたトランジスタ、２７は蛍光灯点灯回路の入力側にコレクタが接続されたトランジスタである。
【００４７】
本実施例の基本的な動作は上述の第２の実施例と同じであるが、ＦＥＴ７のドレイン電圧を抵抗２４，２５で分圧した電圧を、電源制御用ＣＰＵ４のＡ／Ｄポートで直接読み込むようにし、電圧がある所定の範囲内のときには蛍光灯点灯信号（ＦＬ＿ＯＮ）、予熱信号（ＰＲＨＴ＿ＰＷＭ* ）を有効にするが、所定の範囲外のときには蛍光灯点灯信号（ＦＬ＿ＯＮ）、予熱信号（ＰＲＨＴ＿ＰＷＭ* ）を無効にするようにしている。
【００４８】
その際、電源制御用ＣＰＵ４は読み込んだＡ／Ｄ値が設定範囲以上のときには蛍光灯８が劣化していると判断し、蛍光灯８の交換を促すように本体制御用ＣＰＵ１１に通信により知らせ、設定範囲以下のときには蛍光灯回路の故障で有ると判断し、それを本体制御用ＣＰＵ１１に通信により知らせる。
【００４９】
このような構成にすることで、蛍光灯点灯回路の異常や蛍光灯８の交換時期をユーザーやサービスマンに知らせることができる。
【００５０】
図６は上述の本実施例の動作を示すフローチャートであり、図４と同一ステップ番号は同一の処理内容を示している。
【００５１】
コピーモードの場合は電源マイコン（ＣＰＵ４）の入力ポートの値が所定の範囲内かを調べ（ステップＳ６）、範囲外のときはさらに入力ポートの値が範囲以上か以下かを調べ（ステップＳ７）、範囲内のときは出力ポート（ＦＬ＿ＯＦＦ）をＬｏｗにする（ステップＳ８）。また、ステップＳ７で範囲以下であれば出力ポートをＨｉｇｈにし（ステップＳ９）、蛍光灯回路の異常を本体マイコン（ＣＰＵ１１）に知らせ（ステップＳ１０）、範囲以上であれば出力ポートをＨｉｇｈにし（ステップＳ１１）、蛍光灯８の不点灯を本体マイコンに知らせる（ステップＳ１２）。
【００５２】
（第４の実施例）
図７は本発明の第４の実施例を示す回路構成図である。同図中、２８，２９は図５の回路におけるトランジスタ２６，２７と同一機能を持つトランジスタであり、図５の回路と相違する点はＦＥＴ７のドレイン電圧を電源制御用ＣＰＵ４では読み込まないようにしていることである。
【００５３】
本実施例では、電源制御用ＣＰＵ４が電源内部１３の異常を検知した場合、本体制御用ＣＰＵ１１に異常を知らせるとともに、その異常が蛍光灯回路に影響を及ぼすかどうかを判断した上で、影響を及ぼす場合には出力ポート（ＦＬ＿ＯＦＦ）をＨｉｇｈにし、蛍光灯点灯回路及び予熱回路１０を停止させるようにしている。
【００５４】
このような構成をとることで、電源の異常が発生してからその異常を本体制御用ＣＰＵ１１が検知するまでの間、蛍光灯回路が異常動作するのを防止することかできる。
【００５５】
図８は上述の本実施例の動作を示すフローチャートである。ステップＳ１でスタンバイモードのときはステップＳ３で電源マイコンの出力ポートをＨｉｇｈにするが、コピーモードのときは電源マイコンがエラーを検知したかを調べ（ステップＳ１３）、検知していればさらにそのエラーが蛍光灯回路に異常を及ぼすエラーか否かを調べ（ステップＳ１４）、検知していなければ上記出力ポートをＬｏｗにする（ステップＳ１５）。また、ステップＳ１４で異常を及ぼさないエラーと判断すれば出力ポートをＬｏｗにし（ステップＳ１６）、異常を及ぼすエラーと判断すれば出力ポートをＨｉｇｈにする（ステップＳ１７）。
【００５６】
図９は本発明の第５の実施例を示す回路構成図である。同図中、３０は蛍光灯８の光量を検知する調光センサ、３１はその検知信号を受けて調光制御を行う調光回路である。
【００５７】
本実施例では、本体制御用ＣＰＵ１１からの点灯動作開始の指令に従い、電源制御用ＣＰＵ４が予熱動作や蛍光灯点灯動作を全て行うようにしている。
【００５８】
すなわち、電源がスタンバイモードのときには、電源制御用ＣＰＵ４の出力ポート（ＦＬ＿ＯＦＦ）をＨｉｇｈにし、無条件に予熱回路１０及び蛍光灯点灯回路を停止させる。そして、電源がコピーモードになったとき、本体制御用ＣＰＵ１１からの点灯命令に従って、予熱動作及び蛍光灯８の点灯動作を開始する。
【００５９】
また、電源制御用ＣＰＵ４が蛍光灯８の点灯命令を受けてから、ある所定の時間の後に調光センサ３０が蛍光灯８の光量を検知できず、調光回路３１からの信号が蛍光灯８の不点灯もしくは光量不足を示す電圧の場合、電源制御用ＣＰＵ４は出力ポート（ＦＬ＿ＯＦＦ）をＨｉｇｈにし、予熱回路１０及び蛍光灯点灯回路を停止させる。
【００６０】
また、蛍光灯８が点灯して調光センサ３０が光量を検知し調光が開始した後に、電源内部１３で異常が発生した場合、電源制御用ＣＰＵ４はその異常が蛍光灯回路に何らかのダメージを与えるエラーであると判断したときには出力ポート（ＦＬ＿ＯＦＦ）をＨｉｇｈにし、予熱回路１０及び蛍光灯点灯回路を停止させる。
【００６１】
このように構成にすることで、蛍光灯８の異常点灯を防止することができる。
【００６２】
図１０は上述の本実施例の動作を示すフローチャートである。ステップＳ１でスタンバイモードのときはステップＳ３で電源マイコンの出力ポートをＨｉｇｈにするが、コピーモードのときは本体マイコン（ＣＰＵ１１）から点灯命令がきたか否かを調べ（ステップＳ１８）、きていなければ出力ポートをＨｉｇｈにする（ステップＳ１９）。
【００６３】
ステップＳ１８で点灯命令がきていれば予熱動作を開始し（ステップＳ２０）、蛍光灯８の点灯動作を開始する（ステップＳ２１）。そして、調光センサ３０が蛍光灯８の光量を検知したかどうかを調べ（ステップＳ２２）、検知していなければ出力ポートをＨｉｇｈにし（ステップＳ２３）、検知していれば電源マイコンがエラーを検知したかどうかを調べる（ステップＳ２４）。
【００６４】
ステップＳ２４でエラーを検知していればさらにそのエラーが蛍光灯回路に異常を及ぼすエラーか否かを調べ（ステップＳ２５）、検知していないときは出力ポートをＬｏｗにする（ステップＳ２６）。また、ステップＳ２５で異常を及ぼさないエラーであれば出力ポートをＬｏｗにし（ステップＳ２７）、異常を及ぼすエラーであれば出力ポートをＨｉｇｈにする（ステップＳ２８）。
【００６５】
【発明の効果】
以上説明したように、本発明によれば、ある所定の条件が揃ったときにだけ予熱回路及び蛍光灯点灯回路を動作させるように構成しているため、誤動作による異常点灯を防止することができるという効果がある。
【００６６】
また、異常点灯時に上昇するＦＥＴ等のスイッチ素子の電圧を抑えることができるため、異常時の電圧を考慮にいれて選定していた部品をもっと耐圧の低いものに変えることが可能となり、コストを下げることができるという効果がある。
【図面の簡単な説明】
【図１】  本発明の第１の実施例の回路構成図
【図２】  本発明の第２の実施例の回路構成図
【図３】  第２の実施例における蛍光灯点灯移行時の回路動作を示すタイミングチャート
【図４】  第２の実施例の動作を示すフローチャート
【図５】  本発明の第３の実施例の回路構成図
【図６】  第３の実施例の動作を示すフローチャート
【図７】  本発明の第４の実施例の回路構成図
【図８】  第４の実施例の動作を示すフローチャート
【図９】  本発明の第５の実施例の回路構成図
【図１０】  第５の実施例の動作を示すフローチャート
【図１１】  画像形成装置のＤＣ電源部の構成を示すブロック図
【図１２】  従来例の回路構成図
【符号の説明】
１      コンバータートランス
２      直流電源
４      電源制御用ＣＰＵ
５      インダクタンス素子
６      整流回路
７      ＦＥＴ（スイッチ手段）
８      蛍光灯
８ａ    フィラメント
８ｂ    フィラメント
１０      予熱回路（予熱手段）
１１      本体制御用ＣＰＵ
１３      電源内部
【図１】
0003890092.tif 000002
【図２】
0003890092.tif 000003
【図３】
0003890092.tif 000004
【図４】
0003890092.tif 000005
【図５】
0003890092.tif 000006
【図６】
0003890092.tif 000007
【図７】
0003890092.tif 000008
【図８】
0003890092.tif 000009
【図９】
0003890092.tif 000010
【図１０】
0003890092.tif 000011
【図１１】
0003890092.tif 000012
【図１２】
0003890092.tif 000013